(57)【要約】  押釦装置の釦本体１０に位置決め穴１３ａ，１３ｂを設け、パネル２０の裏面に設けた位置決めボス２２ａ，２２ｂを挿入することにより、位置決めする。パネル２０の裏面に設けた４つの弾性保持部２３ａ〜２３ｄが釦本体１０の傾斜面１４を４方向から押止することにより、がたつきを抑制すると共に、釦本体１０を復帰させる。
2011086595.tif 000002
【特許請求の範囲】
【請求項１】
パネルと、当該パネルの開口部に押圧自在に挿通された釦本体とを備える押釦装置において、
前記釦本体は、
前記開口部の表側から裏側へ押圧される押圧部と、
前記押圧部の基端側に形成され、押圧のない状態のときに前記パネルの裏面に当接する肩部と、
前記肩部に設けられた２つの位置決め穴と、
前記肩部から押圧方向へ突設された少なくとも２面以上の側面とを有し、
前記パネルは、
前記開口部の裏側の縁から前記押圧方向へ突設され、前記釦本体の前記位置決め穴にそれぞれ挿入する２つの位置決めボスと、
前記開口部の裏側の縁から前記押圧方向へ突設され、前記釦本体を抱持するように少なくとも２面以上の前記側面をそれぞれ押止する少なくとも２つ以上の弾性保持部とを有することを特徴とする押釦装置。
【請求項２】
２つの位置決め穴のうち、一方は丸穴、他方は長穴であることを特徴とする請求項１記載の押釦装置。
【請求項３】
２つの位置決めボスそれぞれは、先細り形状であることを特徴とする請求項１記載の押釦装置。
【請求項４】
釦本体の各側面は、弾性保持部の先端が接する位置に、押圧方向に向かって縮径する傾斜面を有して、押圧部が押圧されると当該傾斜面が前記弾性保持部の先端を押し広げて弾性変形させながら前記押圧方向へ移動し、前記押圧部の押圧がなくなると前記弾性保持部の弾性変形の復元力を当該傾斜面が受けて前記釦本体が押圧前の位置へ復帰することを特徴とする請求項１記載の押釦装置。
【請求項５】
少なくとも２つ以上の弾性保持部は、互いに向かい合う位置に設けられて、釦本体の側面を押し合うことを特徴とする請求項１記載の押釦装置。
【発明の詳細な説明】
【技術分野】
【０００１】
この発明は、パネルの開口部に、釦本体を押圧自在に挿通させた押釦装置に関する。
【背景技術】
【０００２】
特許文献１に開示の押釦装置は、パネルに開口部を設けて釦本体をスライド自在に装着し、釦本体を押圧して出没方向へストロークさせることにより、パネルの裏面側にあるスイッチ素子をオン／オフ動作させる。
この釦本体の側面には、ストローク方向の先端側が三角形状になった突起部を設け、パネルの開口部には、同じくストローク方向の先端側が三角形状になった切欠部を設ける。釦本体が押圧された際には、突起部が切欠部を緩嵌状態にスライド移動していき、両方の三角形状が合致することにより釦本体とパネルが位置決めされる。
【先行技術文献】
【特許文献】
【０００３】
【特許文献１】特開２００７−１５７４９３号公報
【発明の概要】
【０００４】
従来の押釦装置は以上のように構成されているので、釦本体を押圧している途中は突起部と切欠部が緩嵌状態のため、釦本体にストローク方向のがたつき、及びストローク方向に直交する縦横方向のがたつきが生じるという課題があった。
【０００５】
この発明は、上記のような課題を解決するためになされたもので、釦本体とパネルの位置決めをすると共に、釦本体のがたつきを抑えることを目的とする。
【０００６】
この発明の押釦装置は、釦本体が、開口部の表側から裏側へ押圧される押圧部と、押圧部の基端側に形成され、押圧のない状態のときにパネルの裏面に当接する肩部と、肩部に設けられた２つの位置決め穴と、肩部から押圧方向へ突設された少なくとも２面以上の側面とを有し、パネルが、開口部の裏側の縁から押圧方向へ突設され、釦本体の位置決め穴にそれぞれ挿入する２つの位置決めボスと、開口部の裏側の縁から押圧方向へ突設され、釦本体を抱持するように少なくとも２面以上の側面をそれぞれ押止する少なくとも２つ以上の弾性保持部とを有するものである。
【０００７】
この発明によれば、釦本体の位置決め穴にパネルの位置決めボスをそれぞれ挿入することにより釦本体とパネルを位置決めできると共に、釦本体の少なくとも２面以上ある側面を弾性保持部がそれぞれ押止することにより釦本体のがたつきを抑えることができる。
【図面の簡単な説明】
【０００８】
【図１】この発明の実施の形態１に係る押釦装置の構成を示す外観斜視図である。
【図２】図１に示す釦本体１０をＡＡ線に沿って切断した断面図である。
【図３】図１に示す釦本体１０をＡＡ線に沿って切断した断面斜視図である。
【図４】釦本体１０の構成を示す外観斜視図である。
【図５】図１に示すパネル２０をＡＡ線に沿って切断した断面図である。
【図６】パネル２０の裏面の構成を示す外観斜視図である。
【図７】実施の形態１に係る押釦装置をタクトスイッチに組み合わせた構成を示す図であり、押圧されていない状態を示す。
【図８】実施の形態１に係る押釦装置をタクトスイッチに組み合わせた構成を示す図であり、押圧されている状態を示す。
【図９】この発明の実施の形態１に係る押釦装置において、釦本体１０のその他の構成例を示す図である。
【図１０】図９に示す釦本体１０をＢＢ線に沿って切断した断面斜視図である。
【発明を実施するための形態】
【０００９】
以下、この発明をより詳細に説明するために、この発明を実施するための形態について、添付の図面に従って説明する。
実施の形態１．
図１に示すように、本実施の形態１に係る押釦装置は、釦本体１０とパネル２０とから構成され、釦本体１０が矢印で示す押圧方向にストロークしてスイッチ（不図示）を押す構造である。釦本体１０の詳細な構成を図２〜図４に示し、パネル２０の詳細な構成を図５及び図６に示す。
【００１０】
釦本体１０には、パネル２０の開口部２１から突出する押圧部１１が形成されている。図示例では押圧部１１を直方形にしたが、これに限定されるものではなく、例えば円柱形等でもよい。押圧部１１より拡径の肩部１２には、パネル２０の位置決めボス２２ａを挿入するための位置決め穴１３ａと、位置決めボス２２ｂを挿入するための位置決め穴１３ｂとを形成する。２つの位置決め穴１３ａ，１３ｂのうち、一方の位置決め穴１３ａを丸穴、他方の位置決め穴１３ｂを長穴にする。また、肩部１２から押圧方向に突設した４側面の、ラウンド部２４ａ〜２４ｄと接する高さ位置に、傾斜面１４を形成する。また、釦本体１０の１側面の下端部に、押圧方向へ突出するスイッチ接点１５を設ける。
【００１１】
パネル２０は、釦本体１０を装着するための板状部材であり、釦本体１０の押圧部１１を挿通するための開口部２１が形成されている。ここでは、パネル２０の、押圧部１１を突出させた側の面を、意匠を施す表面とする。裏面には、釦本体１０の位置決め穴１３ａ，１３ｂに挿通して位置決めをする位置決めボス２２ａ，２２ｂと、釦本体１０を保持する弾性保持部２３ａ〜２３ｄとを形成する。この位置決めボス２２ａ，２２ｂは、開口部２１の裏側の縁に２箇所突設する。位置決めボス２２ａ，２２ｂを先端に向かって細くなる形状にして、釦本体１０とパネル２０を装着する際に位置決め穴１３ａ，１３ｂに挿入しやすくする。弾性保持部２３ａ〜２３ｄは樹脂等の弾性部材とし、開口部２１の裏側の縁４辺にそれぞれ突設する。さらに、弾性保持部２３ａ〜２３ｄの先端をそれぞれ円弧形状のラウンド部２４ａ〜２４ｄにして、釦本体１０と接触するときの摩擦抵抗を減らす。
【００１２】
パネル２０の裏面側から釦本体１０を装着して押釦装置にし、図７及び図８に示すように基板４０上のタクトスイッチ３０の上方に配置する。なお、図７及び図８では押釦装置を断面図として示す。
【００１３】
押圧部１１が押圧されていない、静止状態の場合、図７に示すように、弾性保持部２３ａ〜２３ｄの先端のラウンド部２４ａ〜２４ｄが傾斜面１４を内側に押止することにより、釦本体１０が押圧方向とは逆の上方へ押し上がるように抱持される。このとき、肩部１２がパネル２０の裏面に押し当たり、丸穴の位置決め穴１３ａと位置決めボス２２ａの基端部が嵌合することによって、釦本体１０のがたつきが抑制される。ただし、実際には位置決めボス２２ａ，２２ｂと位置決め穴１３ａ，１３ｂの間に微小クリアランスが存在するため、釦本体１０が微小にばたつく。この微小なばたつき（前後左右上下方向）を、向かい合う弾性保持部２３ａ，２３ｃ及び向かい合う弾性保持部２３ｂ，２３ｄがそれぞれ釦本体１０の側面を押し合うように接触して抑制する。また、長穴の位置決め穴１３ｂと位置決めボス２２ｂの基端部が嵌合することによって、釦本体１０の長穴短手方向のがたつきが抑制される。さらに、位置決め穴１３ｂの長穴の方向を、位置決め穴１３ａ，１３ｂを結ぶ直線方向と平行にすることにより、釦本体１０の、位置決め穴１３ａを中心にした回転方向のがたつきを抑制できる。
【００１４】
押圧部１１が押圧されると、図８に示すように、傾斜面１４がラウンド部２４ａ〜２４ｄを外側に押し広げながら押圧方向である下方へ摺動することにより、弾性保持部２３ａ〜２３ｄが弾性変形する。このとき、スイッチ接点１５がタクトスイッチ３０を押す。
押圧部１１への押圧を止めると、弾性変形した弾性保持部２３ａ〜２３ｄの復元力が釦復帰力となり、ラウンド部２４ａ〜２４ｄが傾斜面１４を上方へ押し上げるので、釦本体１０が図７に示す押圧前の位置へ復帰する。
【００１５】
パネル２０に対して釦本体１０がストロークする際、位置決めボス２２ａ，２２ｂがガイドとなる。また、位置決め穴１３ａ，１３ｂと位置決めボス２２ａ，２２ｂが嵌合することにより、釦本体１０とパネル２０の位置が正確に決まる。さらに、位置決め穴１３ｂが長穴なので、位置決め穴１３ａ，１３ｂと位置決めボス２２ａ，２２ｂの位置が多少ずれて形成されていたとしても挿入可能である。
【００１６】
このように、釦本体１０の傾斜面１４に弾性保持部２３ａ〜２３ｄのラウンド部２４ａ〜２４ｄを押し当てることにより、釦本体１０をパネル２０側へ押し上げる力が常に働き、釦本体１０のストローク方向のがたつきを抑制できる。
【００１７】
以上より、実施の形態１によれば、押釦装置の釦本体１０が、開口部２１の表側から裏側へ押圧される押圧部１１と、押圧部１１の基端側に形成されて押圧のない状態のときにパネル２０の裏面に当接する肩部１２と、肩部１２に設けられた２つの位置決め穴１３ａ，１３ｂと、肩部１２から押圧方向へ突設された４側面とを有し、パネル２０が、開口部２１と、開口部２１の裏側の縁から押圧方向へ突設され釦本体１０の位置決め穴１３ａ，１３ｂにそれぞれ挿入する２つの位置決めボス２２ａ，２２ｂと、開口部２１の裏側の縁から押圧方向へ突設され釦本体１０の４側面をそれぞれ押止する４つの弾性保持部２３ａ〜２３ｄとを有するように構成した。このため、位置決め穴１３ａ，１３ｂに位置決めボス２２ａ，２２ｂをそれぞれ挿入することにより釦本体１０とパネル２０を位置決めできる。また、釦本体１０の４側面を、４つの弾性保持部２３ａ〜２３ｄがそれぞれ押止することにより釦本体１０のがたつきを抑制することができる。
【００１８】
また、実施の形態１によれば、２つの位置決め穴１３ａ，１３ｂのうち、一方の位置決め穴１３ａを丸穴、他方の位置決め穴１３ｂを長穴にすることにより、位置決め穴１３ａ，１３ｂと位置決めボス２２ａ，２２ｂの位置ずれを吸収すると共に、釦本体１０の回転方向のがたつきを防止する。
【００１９】
また、実施の形態１によれば、位置決めボス２２ａ，２２ｂそれぞれを先細り形状にすることにより、釦本体１０をパネル２０に装着する際に位置決め穴１３ａ，１３ｂに挿入しやすくできる。
【００２０】
また、実施の形態１によれば、釦本体１０の４側面は、ラウンド部２４ａ〜２４ｄが接する位置に、押圧方向に向かって縮径する傾斜面１４を有して、押圧部１１が押圧されると当該傾斜面１４がラウンド部２４ａ〜２４ｄを押し広げて弾性保持部２３ａ〜２３ｄを弾性変形させながら押圧方向へ移動し、押圧部１１の押圧がなくなると弾性保持部２３ａ〜２３ｄの弾性変形の復元力を当該傾斜面１４が受けて釦本体１０が押圧前の位置へ復帰するように構成した。このため、パネル２０の弾性保持部２３ａ〜２３ｄの弾性変形を、釦本体１０の復帰力に活用することができる。
【００２１】
また、実施の形態１によれば、弾性保持部２３ａ，２３ｃと弾性保持部２３ｂ，２３ｄは、それぞれ互いに向かい合う位置に設けられて、釦本体１０の側面を押し合うようにすることで、押圧されていない静止状態のときにも釦本体１０のがたつきを抑制することができる。
【００２２】
なお、上記図示例では、スイッチ接点１５を、釦本体１０の１側面の下端部に突設するようにしたが、これに限定されるものではなく、例えば図９及び図１０に示すように、釦本体１０の内部に梁１６ａ，１６ｂを交差させ、交点部分にスイッチ接点１５を形成するようにしてもよい。
【００２３】
また、釦本体１０は４側面でなくてもよく、少なくとも２面以上の側面であればよく、この場合には、パネル２０の弾性保持部も側面と同じ数だけあればよい。例えば釦本体１０を幅薄の直方体状にして、面積の広い２側面を２つの弾性保持部で抱持するように構成してもよいし、あるいは釦本体１０を三角柱（３側面）、五角柱（４側面）等の多角形にして、側面数と同数の弾性保持部で抱持するように構成してもよい。この構成の場合にも、側面それぞれを弾性保持部が押止するので、静止状態及び押圧状態での釦本体１０の全方向のがたつきを抑制できる。
【産業上の利用可能性】
【００２４】
以上のように、この発明に係る押釦装置は、釦本体とパネルの位置決めを正確にでき、かつ、がたつきを抑制するようにしたので、車載機器等の押釦装置に用いるのに適している。
【図１】
2011086595.tif 000003
【図２】
2011086595.tif 000004
【図３】
2011086595.tif 000005
【図４】
2011086595.tif 000006
【図５】
2011086595.tif 000007
【図６】
2011086595.tif 000008
【図７】
2011086595.tif 000009
【図８】
2011086595.tif 000010
【図９】
2011086595.tif 000011
【図１０】
2011086595.tif 000012
【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
パネルと、当該パネルの開口部に押圧自在に挿通された釦本体とを備える押釦装置において、
前記釦本体は、
前記開口部の表側から裏側へ押圧される押圧部と、
前記押圧部の基端側に形成され、押圧のない状態のときに前記パネルの裏面に当接する肩部と、
前記肩部に設けられた２つの位置決め穴と、
前記肩部から押圧方向へ突設された少なくとも２面以上の側面とを有し、
前記パネルは、
前記開口部の裏側の縁から前記押圧方向へ突設され、前記釦本体の前記位置決め穴にそれぞれ挿入する２つの位置決めボスと、
前記開口部の裏側の縁から前記押圧方向へ突設され、前記釦本体を抱持するように少なくとも２面以上の前記側面をそれぞれ押止する少なくとも２つ以上の弾性保持部とを有し、
前記釦本体の各側面は、前記弾性保持部の先端が接する位置に、押圧方向に向かって縮径する傾斜面を有して、前記押圧部が押圧されると当該傾斜面が前記弾性保持部の先端を押し広げて弾性変形させながら前記押圧方向へ移動し、前記押圧部の押圧がなくなると前記弾性保持部の弾性変形の復元力を当該傾斜面が受けて前記釦本体が押圧前の位置へ復帰する
ことを特徴とする押釦装置。
【請求項２】
２つの位置決め穴のうち、一方は丸穴、他方は長穴であることを特徴とする請求項１記載の押釦装置。
【請求項３】
２つの位置決めボスそれぞれは、先細り形状であることを特徴とする請求項１記載の押釦装置。
【請求項４】
少なくとも２つ以上の弾性保持部は、互いに向かい合う位置に設けられて、釦本体の側面を押し合うことを特徴とする請求項１記載の押釦装置。
【手続補正２】
【補正対象書類名】明細書
【補正対象項目名】０００６
【補正方法】変更
【補正の内容】
【０００６】
この発明の押釦装置は、釦本体が、開口部の表側から裏側へ押圧される押圧部と、押圧部の基端側に形成され、押圧のない状態のときにパネルの裏面に当接する肩部と、肩部に設けられた２つの位置決め穴と、肩部から押圧方向へ突設された少なくとも２面以上の側面とを有し、パネルが、開口部の裏側の縁から押圧方向へ突設され、釦本体の位置決め穴にそれぞれ挿入する２つの位置決めボスと、開口部の裏側の縁から押圧方向へ突設され、釦本体を抱持するように少なくとも２面以上の側面をそれぞれ押止する少なくとも２つ以上の弾性保持部とを有し、釦本体の各側面は、弾性保持部の先端が接する位置に、押圧方向に向かって縮径する傾斜面を有して、押圧部が押圧されると傾斜面が弾性保持部の先端を押し広げて弾性変形させながら押圧方向へ移動し、押圧部の押圧がなくなると弾性保持部の弾性変形の復元力を傾斜面が受けて釦本体が押圧前の位置へ復帰するものである。
【国際調査報告】
2011086595.tif 000013
2011086595.tif 000014
2011086595.tif 000015
2011086595.tif 000016